(57)【特許請求の範囲】
【請求項１】
硬質樹脂製の上下枠（１ａ、１ｂ）と後枠（１ｃ）よりなる枠体（１）とし、この枠体（１）の後枠（１ｃ）側から第一仕切り枠（２）及び第二仕切り枠（３）を一体に設けたものとし、前記後枠（１ｃ）と第一仕切り枠（２）の間を、バンド（Ｂ）の第一挿通空間（Ｓ１ ）とし、前記第一仕切り枠（２）と第二仕切り枠（３）の間を、バンド（Ｂ) の第二挿通空間（Ｓ２ ）とし、前記枠体（１）の開放端において、上下枠（１ａ、１ｂ）の間に、バンド（Ｂ）の連結体（４）を取り付け、前記第一挿通空間（Ｓ１ ）の内方からバンド（Ｂ）を挿通して外方に引き出し、第二挿通空間（Ｓ２ ）の外方からバンド（Ｂ）を挿通して内方に引き出し、さらに顔面装着具（Ｆ）の端部のバンド挿通孔（ｈ）の内方から前記バンド（Ｂ）を挿通して外方に引き出し、このバンド（Ｂ）の端部を前記連結体（４）に連結したものとしていることを特徴とする顔面装着具のバンド長さ調節体。
【請求項２】
前記連結体（４）は、軸体（４ａ）の両端に嵌合突起（４ｂ、４ｂ）を設けたものとし、これら嵌合突起（４ｂ、４ｂ）の嵌合穴（５、５）を前記上下枠（１ａ、１ｂ）に対向して設けたものとしていることを特徴とする請求項１記載の顔面装着具のバンド長さ調節体。
【請求項３】
顔面装着具（Ｆ）の装着状態において、第一挿通空間（Ｓ１ ）及び第二挿通空間（Ｓ２ ）に挿通したバンド（Ｂ）の第一接触部（ａ）が後枠（１ｃ）の内側角部（ｄ）に接触した状態、前記バンド（Ｂ）の第二接触部（ｂ）が第一仕切り枠（２）の外側角部（ｅ）に接触した状態、前記バンド（Ｂ）の第三接触部（ｃ）が第二仕切り枠（３）の内側角部（ｆ）に接触した状態の三か所で接触するようにし、バンド長さ調節時には、前記バンド（Ｂ）の第二接触部（ｂ）が第一仕切り枠（２）の外側角部（ｅ）に接触した状態、前記バンド（Ｂ）の第三接触部（ｃ）が第二仕切り枠（３）の内側角部（ｆ）に接触した状態の二か所で接触するようにしていることを特徴とする請求項１または２記載の顔面装着具のバンド長さ調節体。
【請求項４】
前記枠体（１）の上下枠（１ａ、１ｂ）を外方に反り返らせたものとしていることを特徴とする請求項１〜３のいずれかに記載の顔面装着具のバンド長さ調節体。
【請求項５】
前記バンド（Ｂ）をショア硬度４５〜５５度の伸縮性を有する弾性合成樹脂からなるものとしていることを特徴とする請求項１〜４のいずれかに記載の顔面装着具のバンド長さ調節体。
【請求項６】
前記後枠（１ｃ）の内側角部（ｄ）の内側角（α）、第一仕切り枠（２）の外側角部（ｅ）の外側角（β）、第二仕切り枠（３）の内側角部（ｆ）の内側角（γ）をそれぞれ鋭角にしていることを特徴とする請求項３記載の顔面装着具のバンド長さ調節体。
【請求項７】
前記第一接触部（ａ）と第二接触部（ｂ）との起伏差（ｘ）を、第二接触部（ｂ）と第三接触部（ｃ）との起伏差（ｙ）の約１／２にしていることを特徴とする請求項３または６に記載の顔面装着具のバンド長さ調節体。
【請求項８】
前記バンド（Ｂ）の第一接触部（ａ）での曲がり角（λ）を１４５〜１５５度にしており、バンド（Ｂ）の第二接触部（ｂ）での曲がり角（μ）を８３〜９３度にしており、バンド（Ｂ）の第三接触部（ｃ）での曲がり角（ν）を１１３〜１２３度にしていることを特徴とする請求項３、６または７のいずれかに記載の顔面装着具のバンド長さ調節体。
【発明の詳細な説明】
【技術分野】
【０００１】
この発明は、スイミングゴーグル、スキーゴーグルなどの各種のゴーグル、眼鏡、マスク等の顔面装着具のバンド長さ調節体に関するものである。
【背景技術】
【０００２】
従来、この種の顔面装着具としては、例えば図１３に示したようなスイミングゴーグルが存在する（特許文献１）。
【０００３】
このスイミングゴーグルにおいて、バンド連結具１１を介して弾性バンド１２をアイカップ１３に取り付けるには、次のようにして行う。
【０００４】
先ず、図１４に示したように、弾性バンド１２の一端部をアイカップ１３の一方側の外端部１４のバンド挿通孔１５に挿通させ、バンド連結具１１のバンド路孔１６、１７を挿通させ、再びバンド挿通孔１５に挿通させる。
【０００５】
次に、バンド連結具１１と外端部１４との関係が図１５に示す関係になるまで、弾性バンド１２を強く引っ張る。同様に、弾性バンド１２の他端部についても同様の操作をする。
【０００６】
このような操作が終了した状態では、外端部１４の外側端縁１４ａに表面板１８の嵌入凹部１９が嵌まり込み、バンド挿通孔１５の外側構成壁部１５ａは嵌入凹部１９の構成壁と連結片２０の折曲部２０ａとにより挟み込まれている。そして、連結片２０に巻き付いた弾性バンド１２は前端バンド挿通孔１５の外側構成壁部１５ａと連結片２０の折曲部２０ａにより挟持された状態となっており、弾性バンド１２が連結片２０に対して滑ることがない。したがって、このスイミングゴーグルでは、弾性バンド１２は不用意に緩むことはないとしている。
【０００７】
さらに、この種の顔面装着具としては、例えば図１６に示したようなスイミングゴーグルが存在する（特許文献２）。
【０００８】
このスイミングゴーグルにおいて、操作部材３１を介して締付バンド３２をアイカップ３３に取り付けるには、次のようにして行う。
【０００９】
先ず、図１７に示したように、アイカップ３３の端部には、押圧面部３３ａを形成し、この押圧面部３３ａに所要の間隔をおいて一対の支持アーム３４、３４を一体として設けたものとしている。前記支持アーム３４、３４の先端部間には、締付バンド３２を巻き付ける支軸３５を設けている。さらに、前記支持アーム３４、３４間には、操作部材３１が回動自在として取り付けられている。
【００１０】
そして、前記操作部材３１は、内端を押圧操作部３１ａとし、外端を引上げ操作部３１ｂとしたものとしている。前記操作部材３１には、押圧操作部３１ａに対向して、前記アイカップ３３の押圧面部３３ａを押圧して弾性変形するようにした弾性片３６（図１８参照）が設けられ、前記押圧操作部３１ａと引上げ操作部３１ｂの中間部に、係合爪３７ａを有した係合体３７が設けられ、この係合爪３７ａは、前記支軸３５に巻き付けて折り返した締付バンド３２の表面側の長さ方向に複数設けた突出部３８の何れかに係脱自在としている。
【００１１】
このようにした顔面装着具は、装着した状態において、操作部材３１が操作し易くなり、押す操作または引き上げる操作の何れによっても、締付バンド３２を緩めることができるようになり、非常に便利なものになるとしている。
【先行技術文献】
【特許文献】
【００１２】
【特許文献１】特開２００３−２３６０１８号公報
【特許文献２】特開２０１２−１３９３６０号公報
【発明の概要】
【発明が解決しようとする課題】
【００１３】
しかしながら、上記したような顔面装着具は、バンド連結具１１の後方に弾性バンド１２の端部が突き出したり、操作部材３１の後方に締付バンド３２の端部が突き出しているので、何れも装着状態において、これらバンドの端部がばたついて、邪魔になるという課題を有していた。
【００１４】
さらに、図１３〜１５に示したような顔面装着具は、装着状態では弾性バンド１２の長さを調節することができず、弾性バンド１２の長さを調節するには、顔面から外した状態にしなければならないため、弾性バンド１２の長さを調節するのが面倒であるという課題を有していた。
【００１５】
また、図１６〜１８に示したような顔面装着具は、装着状態で締付バンド３２の長さを調節することができるが、アイカップ３３の端部の構造が複雑になると共に、操作部材３１の構造も複雑になるため生産コストの増大に繋がるという課題を有していた。
【００１６】
そこで、この発明は、顔面装着具を装着した状態において、バンドの端部がばたついて邪魔になるということはなく、さらにバンドの長さ調節の操作がし易く、しかも構造が簡単で、生産コストも削減することができる顔面装着具のバンド長さ調節体を提供することを目的としてなされたものである。
【課題を解決するための手段】
【００１７】
この発明の顔面装着具のバンド長さ調節体は、硬質樹脂製の上下枠１ａ、１ｂと後枠１ｃよりなる枠体１とし、この枠体１の後枠１ｃ側から第一仕切り枠２及び第二仕切り枠３を一体に設けたものとし、前記後枠１ｃと第一仕切り枠２の間を、バンドＢの第一挿通空間Ｓ１ とし、前記第一仕切り枠２と第二仕切り枠３の間を、バンドＢの第二挿通空間Ｓ２ とし、前記枠体１の開放端において、上下枠１ａ、１ｂの間に、バンドＢの連結体４を取り付け、前記第一挿通空間Ｓ１ の内方からバンドＢを挿通して外方に引き出し、第二挿通空間Ｓ２ の外方からバンドＢを挿通して内方に引き出し、さらに顔面装着具Ｆの端部のバンド挿通孔ｈの内方から前記バンドＢを挿通して外方に引き出し、このバンドＢの端部を前記連結体４に連結したものとしている。
【００１８】
この発明の顔面装着具のバンド長さ調節体において、前記連結体４は、軸体４ａの両端に嵌合突起４ｂ、４ｂを設けたものとし、これら嵌合突起４ｂ、４ｂの嵌合穴５、５を前記上下枠１ａ、１ｂに対向して設けたものとしている。
【００１９】
この発明の顔面装着具のバンド長さ調節体において、顔面装着具Ｆの装着状態において、第一挿通空間Ｓ１ 及び第二挿通空間Ｓ２ に挿通したバンドＢの第一接触部ａが後枠１ｃの内側角部ｄに接触した状態、前記バンドＢの第二接触部ｂが第一仕切り枠２の外側角部ｅに接触した状態、前記バンドＢの第三接触部ｃが第二仕切り枠３の内側角部ｆに接触した状態の三か所で接触するようにし、バンド長さ調節時には、前記バンドＢの第二接触部ｂが第一仕切り枠２の外側角部ｅに接触した状態、前記バンドＢの第三接触部ｃが第二仕切り枠３の内側角部ｆに接触した状態の二か所で接触するようにしている。
【００２０】
この発明の顔面装着具のバンド長さ調節体において、前記枠体１の上下枠１ａ、１ｂを外方に反り返らせたものとしている。
【００２１】
この発明の顔面装着具のバンド長さ調節体において、前記バンドＢをショア硬度４５〜５５度の伸縮性を有する弾性合成樹脂からなるものとしている。
【００２２】
この発明の顔面装着具のバンド長さ調節体において、前記後枠１ｃの内側角部ｄの内側角α、第一仕切り枠２の外側角部ｅの外側角β、第二仕切り枠３の内側角部ｆの内側角γをそれぞれ鋭角にしている。
【００２３】
この発明の顔面装着具のバンド長さ調節体において、前記第一接触部ａと第二接触部ｂとの起伏差ｘを、第二接触部ｂと第三接触部ｃとの起伏差ｙの約１／２にしている。
【００２４】
この発明の顔面装着具のバンド長さ調節体において、前記バンドＢの第一接触部ａでの曲がり角λを１４５〜１５５度にしており、バンドＢの第二接触部ｂでの曲がり角μを８３〜９３度にしており、バンドＢの第三接触部ｃでの曲がり角νを１１３〜１２３度にしている。
【発明の効果】
【００２５】
この発明の顔面装着具のバンド長さ調節体は、以上に述べたように構成されているので、顔面装着具を装着した状態において、バンドの端部がばたついて邪魔になるということはなくなった。
【００２６】
さらに、この発明の顔面装着具のバンド長さ調節体は、顔面装着具を装着した状態において、バンドが緩むことなく、バンドの長さ調節時にはバンドを緩めたり、締め付け易いものとなった。
【００２７】
また、この発明の顔面装着具のバンド長さ調節体は、構造が簡単であり、生産コストも削減することができるものとなった。
【図面の簡単な説明】
【００２８】
【図１】この発明のバンド長さ調節体を備えた顔面装着具の斜視図である。
【図２】この発明のバンド長さ調節体を外面側から見た斜視図である。
【図３】この発明のバンド長さ調節体の連結体を外して、このバンド長さ調節体を内面側から見た斜視図である。
【図４】この発明のバンド長さ調節体にバンドを挿通した状態を示す説明図である。
【図５】この発明のバンド長さ調節体を備えた顔面装着具の装着状態を示す説明図である。
【図６】図５に示す装着状態におけるバンド長さ調節体へのバンドの挿通状態を示す断面説明図である。
【図７】図６に示すバンドの挿通状態を示す断面を拡大した説明図である。
【図８】この発明のバンド長さ調節体を備えた顔面装着具のバンドの長さの調節状態を示す説明図である。
【図９】図８に示すバンドの長さの調節状態を示す断面説明図である。
【図１０】図９に示すバンドの長さの調節状態を示す断面を拡大した説明図である。
【図１１】この発明のバンド長さ調節体にバンドを挿通した状態を示す断面説明図である。
【図１２】比較例としたバンド長さ調節体にバンドを挿通した状態を示す断面説明図である。
【図１３】従来のバンド長さ調節体を備えた顔面装着具の一例の正面図である。
【図１４】図１３に示すバンド長さ調節体を顔面装着具から外した状態を示す一部断面斜視図である。
【図１５】図１３に示すバンド長さ調節体のバンドの挿通状態を示す断面説明図である。
【図１６】従来のバンド長さ調節体を備えた顔面装着具の他の例の斜視図である。
【図１７】図１６に示すバンド長さ調節体を顔面装着具から外した状態を示す斜視図である。
【図１８】図１６に示すバンド長さ調節体のバンドの挿通状態を示す断面説明図である。
【発明を実施するための形態】
【００２９】
以下、この発明の顔面装着具のバンド長さ調節体を実施するための形態について、図面に基づき詳細に説明する。
【００３０】
図１は、この発明のバンド長さ調節体を備えた顔面装着具Ｆとして、スイミング用のゴーグルを示しており、レンズフレームの両端部には、使用者が着用するためのバンドＢが取り付けられている。すなわち、前記レンズフレームの両端部には、バンド挿通孔ｈが設けられており、このバンド挿通孔ｈに挿通されたバンドＢは、バンド長さ調節体によって、長さを調節自在として、前記レンズフレームの両端部に取り付けられている。
【００３１】
この発明のバンド長さ調節体は、図２、３に示したように、ポリカーボート、ポリアミド、ＡＢＳ樹脂などの硬質樹脂製の上下枠１ａ、１ｂと後枠１ｃよりなる略コ字状の枠体１としており、この枠体１の後枠１ｃ側から第一仕切り枠２及び第二仕切り枠３を一体に設けたものとしている。
【００３２】
そして、この発明のバンド長さ調節体は、前記後枠１ｃと第一仕切り枠２の間を、バンドＢの第一挿通空間Ｓ１ とし、前記第一仕切り枠２と第二仕切り枠３の間を、バンドＢの第二挿通空間Ｓ２ としている。
【００３３】
さらに、この発明のバンド長さ調節体は、前記枠体１の開放端において、上下枠１ａ、１ｂの間に、バンドＢの連結体４を嵌着可能として取り付けている。この連結体４は、軸体４ａの両端に嵌合突起４ｂ、４ｂを設けたものとし、前記上下枠１ａ、１ｂには、これら嵌合突起４ｂ、４ｂの嵌合穴５、５を対向して設けたものとしている。なお、前記連結体４も、枠体１と同様に、ポリカーボート、ポリアミド、ＡＢＳ樹脂などの硬質樹脂製としている。
【００３４】
また、この発明のバンド長さ調節体は、枠体１の上下枠１ａ、１ｂを外方に湾曲させるなどして反り返らせたものとすると共に、これら上下枠１ａ、１ｂに複数の粒状突起６を設けたものとして、上下枠１ａ、１ｂや後枠１ｃに着用者の指を引っ掛け易くして、操作性をよくしている。さらに、前記枠体１の後枠１ｃの内側には、複数の段状突起７を設けたものとして、この後枠１ｃに着用者の指を引っ掛け易くして、より操作性をよくしている。
【００３５】
なお、この発明のバンド長さ調節体において、前記上下枠１ａ、１ｂ、第一仕切り枠２、第二仕切り枠３は細長の棒状に形成しており、後枠１ｃも同様に細長の棒状に形成することができるが、後枠１ｃは着用者の指を引っ掛け易くするため、後方を湾曲させたり、前記段状突起９を設け易くするため、平らな板状に形成している。
【００３６】
前記バンドＢは、エラストマー、シリコン樹脂などのショア硬度４５〜５５度の伸縮性を有する弾性合成樹脂からなるものとしており、両端部にはバンド長さ調節体の連結体４を挿入することにより、このバンド長さ調節体に連結可能とした挿入孔８が設けられている。
【００３７】
そして、この発明のバンド長さ調節体は、前記第一挿通空間Ｓ１ の内方からバンドＢを挿通して外方に引き出し、第二挿通空間Ｓ２ の外方からバンドＢを挿通して内方に引き出し、さらに顔面装着具Ｆの端部のバンド挿通孔ｈの内方から前記バンドＢを挿通して外方に引き出し、このバンドＢの端部を連結したものとしている。前記バンド長さ調節体にバンドＢの端部を連結するには、このバンドＢの端部の挿入孔８に連結体４の軸体４ａを挿入し、この挿入孔８の上下から軸体４ａに設けた嵌合突起４ｂ、４ｂを突出させ、これら嵌合突起４ｂ、４ｂをバンド長さ調節体の上下枠１ａ、１ｂの嵌合穴５、５に嵌合させればよい。
【００３８】
なお、この発明のバンド長さ調節体は、一般的には顔面装着具Ｆの両端部に備えたものとしているが、顔面装着具Ｆの片端部のみに備えたものとしてもよい。
【００３９】
また、断るまでもないが、この発明のバンド長さ調節体において、内方とは、顔面装着具Ｆの装着状態における内側方向をいうものとし、外方とは、顔面装着具Ｆの装着状態における外側方向をいうものとする。
【００４０】
さらに、この発明のバンド長さ調節体は、装着状態においてバンドが緩まないようにすると共に、バンドの長さ調節時にはバンドを緩めたり締め付け易いようにするために、以下のような構成にしている。
【００４１】
先ず、この発明のバンド長さ調節体は、図５〜７に示したような顔面装着具Ｆの装着状態において、第一挿通空間Ｓ１ 及び第二挿通空間Ｓ２ に挿通した状態では、バンドＢの第一接触部ａが後枠１ｃの内側角部ｄに接触した状態、前記バンドＢの第二接触部ｂが第一仕切り枠２の外側角部ｅに接触した状態、前記バンドＢの第三接触部ｃが第二仕切り枠３の内側角部ｆに接触した状態の三か所で接触するようにしている。
【００４２】
そして、この発明のバンド長さ調節体は、図８〜１０に示したようなバンド長さ調節時には、前記バンドＢの第二接触部ｂが第一仕切り枠２の外側角部ｅに接触した状態、前記バンドＢの第三接触部ｃが第二仕切り枠３の内側角部ｆに接触した状態の二か所で接触するようにしている。
【００４３】
さらに、この発明のバンド長さ調節体は、図１１に示したように、前記後枠１ｃの内側角部ｄの内側角α、第一仕切り枠２の外側角部ｅの外側角β、第二仕切り枠３の内側角部ｆの内側角γをそれぞれ鋭角にしている。具体的には、内側角αを７０〜８０度にしており、外側角βを４０〜５０度にしており、内側角γを７０〜８０度にしている。
【００４４】
また、この発明のバンド長さ調節体は、図１１に示したように、前記第一接触部ａと第二接触部ｂとの起伏差ｘが、第二接触部ｂと第三接触部ｃとの起伏差ｙの約１／２にしている。具体的には、起伏差ｘを１. ４〜１. ８ｍｍにしており、起伏差ｙを３. １〜３. ５ｍｍにしている。
【００４５】
そして、この発明のバンド長さ調節体は、前記バンドＢの第一接触部ａでの曲がり角λを１４５〜１５５度にしており、バンドＢの第二接触部ｂでの曲がり角μを８３〜９３度にしており、バンドＢの第三接触部ｃでの曲がり角νを１１３〜１２３度にしている。
【００４６】
このように構成したこの発明のバンド長さ調節体を備えた顔面装着具の装着状態におけるバンドに緩みが発生しないことを、以下に示すバンド繰り返し荷重試験（ＪＩＳ  Ｓ７３０１  ７. ６）によって確認した。
〔試験内容〕
顔面装着具を鋼管（直径約２００ｍｍ）に装着し、バンド部分を１９. ６Ｎの繰り返し荷重で毎分６０回の速さで２０分間繰り返し引っ張り、バンドの異状の有無をみる。ただし、バンドは１時間水に浸した後に試験を行う。合格基準は、片側１０ｍｍ以上のずれ又は切れのないこととなっている。
【００４７】
この発明のバンド長さ調節体の構成としては、図１１に示したように、前記後枠１ｃの内側角部ｄの内側角αを７５度、第一仕切り枠２の外側角部ｅの外側角βを４５度、第二仕切り枠３の内側角部ｆの内側角γを７５度にし、前記第一接触部ａと第二接触部ｂとの起伏差ｘを１. ６ｍｍ、第二接触部ｂと第三接触部ｃとの起伏差ｙを３. ２ｍｍにし、前記バンドＢの第一接触部ａでの曲がり角λを１５０度、バンドＢの第二接触部ｂでの曲がり角μを８８度、バンドＢの第三接触部ｃでの曲がり角νを１１８度にした。このようにした場合の前記バンド繰り返し荷重試験では、バンドＢのずれや切れは確認できなかった。
【００４８】
比較例としたバンド長さ調節体の構成としては、図１２に示したように、前記後枠１ｃの内側角部ｄの内側角αを８５度、第一仕切り枠２の外側角部ｅの外側角βを４５度、第二仕切り枠３の内側角部ｆの内側角γを１０５度にし、前記第一接触部ａと第二接触部ｂとの起伏差ｘを１. ５ｍｍ、第二接触部ｂと第三接触部ｃとの起伏差ｙを１. ５ｍｍにし、前記バンドＢの第一接触部ａでの曲がり角λを１５０度、バンドＢの第二接触部ｂでの曲がり角μを９９度、バンドＢの第三接触部ｃでの曲がり角νを１４０度にした。このようにした場合の前記バンド繰り返し荷重試験では、バンドＢのずれが確認できた。
【００４９】
以上のように構成したこの発明のバンド長さ調節体を備えた顔面装着具において、バンドの長さを調節するには、以下に述べるような操作によって行われる。
【００５０】
先ず、図５〜７に示したように顔面装着具を装着した状態では、前記したように第一挿通空間Ｓ１ 及び第二挿通空間Ｓ２ に挿通した状態では、バンドＢの第一接触部ａが後枠１ｃの内側角部ｄに接触した状態、前記バンドＢの第二接触部ｂが第一仕切り枠２の外側角部ｅに接触した状態、前記バンドＢの第三接触部ｃが第二仕切り枠３の内側角部ｆに接触した状態の三か所で接触しているので、摩擦抵抗が大きく、バンドＢは緩むようなことがなくしっかりとした装着状態が保たれている。
【００５１】
そこで、図８〜１０に示したようにこの発明のバンド長さ調節体の枠体１の上下枠１ａ、１ｂの複数の粒状突起８を指で摘んだり、後枠１ｃの内側または複数の段状突起９に指を引っ掛けて、着用者の顔面から枠体１を持ち上げて傾斜させると、前記バンドＢの第二接触部ｂが第一仕切り枠２の外側角部ｅに接触した状態、前記バンドＢの第三接触部ｃが第二仕切り枠３の内側角部ｆに接触した状態の二か所で接触するようになるので、摩擦抵抗が小さくなり、指で枠体１を図８中の矢印方向へ移動させることができるようになり、この枠体１の移動によってバンドＢの長さを調節することができる。なお、前記枠体１の傾斜角θは、図示したように約２０度に設定するのが、操作し易いものとなり好ましいが、１５〜３０度の範囲で任意の角度に設定することができる。
【００５２】
そして、この発明のバンド長さ調節体によりバンドの長さ調節が終わると、枠体１から指を離せば、この枠体１が着用者の顔面方向に戻り、再び図５〜７に示したような状態になるので、摩擦抵抗が元の大きさに戻り、バンドＢは緩むようなことがなくしっかりとした装着状態が保たれることになる。
【００５３】
以上のように構成したこの発明のバンド長さ調節体は、顔面装着具Ｆの端部のバンド挿通孔ｈの内方からバンドＢを挿通して外方に引き出し、このバンドＢの端部を連結体４に連結したものとしているので、顔面装着具Ｆの装着状態において、バンドＢの端部がばたついて邪魔になるということはなくなる。
【００５４】
さらに、この発明のバンド長さ調節体を備えた顔面装着具は、顔面への装着状態においては、前記したように三か所で接触しているので、摩擦抵抗が大きく、バンドＢは緩むようなことがなくしっかりとした装着状態が保たれ、バンドの長さ調節時には、前記したように二か所で接触するようになるので、枠体１の移動によってバンドＢの長さを調節することができ、バンドＢを緩めたり、締め付け易いものとなる。
【００５５】
また、この発明の顔面装着具のバンド長さ調節体は、硬質樹脂製の上下枠１ａ、１ｂと後枠１ｃよりなる枠体１とし、この枠体１の後枠１ｃ側から第一仕切り枠２及び第二仕切り枠３を一体に設けたものとしているので、構造が簡単なものとなり、生産コストも削減することができるものとなる。
【符号の説明】
【００５６】
１  枠体
１ａ  上枠
１ｂ  下枠
１ｃ  後枠
２  第一仕切り枠
３  第二仕切り枠
４  連結体
４ａ  軸体
４ｂ  嵌合突起
５  嵌合穴
ａ  第一接触部
ｂ  第二接触部
ｃ  第三接触部
ｄ  内側角部
ｅ  外側角部
ｆ  内側角部
α  内側角
β  外側角
γ  内側角
λ  曲がり角
μ  曲がり角
ν  曲がり角
ｘ  起伏差
ｙ  起伏差
Ｆ  顔面装着具
Ｂ  バンド
ｈ  バンド挿通孔
Ｓ１ 第一挿通空間
Ｓ２ 第二挿通空間
【図１】
0006556599.tif 000002
【図２】
0006556599.tif 000003
【図３】
0006556599.tif 000004
【図４】
0006556599.tif 000005
【図５】
0006556599.tif 000006
【図６】
0006556599.tif 000007
【図７】
0006556599.tif 000008
【図８】
0006556599.tif 000009
【図９】
0006556599.tif 000010
【図１０】
0006556599.tif 000011
【図１１】
0006556599.tif 000012
【図１２】
0006556599.tif 000013
【図１３】
0006556599.tif 000014
【図１４】
0006556599.tif 000015
【図１５】
0006556599.tif 000016
【図１６】
0006556599.tif 000017
【図１７】
0006556599.tif 000018
【図１８】
0006556599.tif 000019